(57)【要約】      （修正有）【課題】直近の大当たり遊技の当選時に実行した演出データを用いて再演出表示することが可能な遊技機を提供する。【解決手段】遊技の進行を制御して抽選処理を実行し、抽選結果が当選の場合に大当たり遊技を実行する遊技進行制御手段と、遊技の進行に応じた演出表示を行うための各種演出データを複数記憶した演出データ記憶手段と、抽選処理の抽選結果を、演出データ記憶手段に記憶されている演出データの中から選択して演出表示する演出表示制御手段を備え、演出データ記憶手段に記憶されている演出データは、抽選処理の抽選結果を導出するまでの繋ぎ用演出データと、抽選結果を導出する結果導出用演出データを含み、演出表示制御手段は、今回までの抽選処理の中で直近の当選時に実行した繋ぎ用演出データを用いた繋ぎ演出を、結果導出演出の前に所定の確率で再演出表示する遊技機とした。【選択図】図１８
2014239882.tif 000002
【特許請求の範囲】
【請求項１】
所定の条件を満たした場合に、遊技者に有利な有利遊技状態に移行させるか否かの判定を行う有利遊技状態移行判定手段と、
前記有利遊技状態移行判定手段による判定結果を、所定の演出を表示することにより報知可能な表示手段と、
を備え、
前記表示手段に表示される所定の演出は、第１演出と、当該第１演出後に実行され、前記有利遊技状態移行判定手段による判定結果を導出表示する第２演出とを含んでおり、
前記表示手段は、前記第１演出を複数回表示した後に前記第２演出の表示を行う特定の演出を表示可能であり、
前記特定の演出において複数回表示される第１演出は、全て同一態様の演出を含むことを特徴とする遊技機。
【請求項２】
前記表示手段は、遊技に関する履歴である遊技履歴を表示可能であり、
前記遊技履歴は、
前記第１演出の表示中に表示することが可能であり、
前記第２演出の表示中に表示しないことが可能であることを特徴とする請求項１記載の遊技機。
【請求項３】
前記特定の演出において複数回表示される第１演出は、直近の前記有利遊技状態移行判定手段による判定結果が肯定であるときに表示された第１演出と同一であることを特徴とする請求項２記載の遊技機。
【発明の詳細な説明】
【技術分野】
【０００１】
本発明は、所定の条件を満たした場合に抽選処理して、抽選結果が当選の場合に大当た
り遊技が開始される抽選ゲームが実行される、パチンコ遊技機などに代表される遊技機に
関するものである。
【背景技術】
【０００２】
従来、ゲームセンターなどにおいては様々な遊技機が設置されて遊技に供されている。
【０００３】
これらの遊技機は、遊技者が操作手段を操作して液晶パネルなどからなる表示装置に表
示されるキャラクタなどを操りゲームを進行させるのであるが、本来のゲームの他、前記
表示装置に演出画像を表示して遊技者を楽しませるようにしたものも多い。
【０００４】
例えば、カーレースを楽しむドライビングゲームなどにおいては、プレイしたときのシ
ーンを再表示させるリプレイ表示を行うものが知られている。他方、パチンコ機やパチス
ロ機をはじめとする遊技機においても、液晶表示装置に様々な演出表示を行う機種が主流
となってきている。
【０００５】
例えば、遊技盤に形成された遊技領域に、遊技者が発射ハンドルを操作して遊技球を発
射させ、この遊技球が所定の入賞口に入球すると抽選ゲームを開始し、抽選結果に応じて
賞球の払い出し機会が増加する大当たり遊技に移行するパチンコ機においては、遊技の進
行に応じて様々な演出表示がなされるが、特に、前記抽選ゲームでは、その抽選結果を演
出表示によって遊技者に知らせるようにしている。
【０００６】
また、上述したパチンコ機の中には、通常遊技の他にミニゲームを搭載し、ミニゲーム
のリプレイ画像をスクリーンセーバーとして用いるものが提案されている。（例えば、特
許文献１を参照。）。
【先行技術文献】
【特許文献】
【０００７】
【特許文献１】特開２００２−２８２４２６号公報
【発明の概要】
【発明が解決しようとする課題】
【０００８】
しかしながら、上記リプレイ画像は、行った遊技を遊技者に思い起こさせたり、遊技の休憩を促したりすることを目的としたものであり、単に、遊技者の気分転換として利用されるものでしかなかった。
【０００９】
そこで、リプレイ表示（リプレイ画像）を、例えば本来の遊技の進行と関係させながら利用すれば、遊技興趣をより向上させることができると考えられるが、このようにリプレイ画像を有効利用した遊技機は存在していない。
【００１０】
本発明は、上述した課題を解決することのできる遊技機を提供することを目的としている。
【課題を解決するための手段】
【００１１】
請求項１に記載の本発明では、所定の条件を満たした場合に、遊技者に有利な有利遊技状態に移行させるか否かの判定を行う有利遊技状態移行判定手段と、前記有利遊技状態移行判定手段による判定結果を、所定の演出を表示することにより報知可能な表示手段と、を備え、前記表示手段に表示される所定の演出は、第１演出と、当該第１演出後に実行され、前記有利遊技状態移行判定手段による判定結果を導出表示する第２演出とを含んでおり、前記表示手段は、前記第１演出を複数回表示した後に前記第２演出の表示を行う特定の演出を表示可能であり、前記特定の演出において複数回表示される第１演出は、全て同一態様の演出を含むことを特徴とする。
【００１２】
請求項２に記載の本発明は、請求項１に記載の遊技機において、前記表示手段は、遊技に関する履歴である遊技履歴を表示可能であり、前記遊技履歴は、前記第１演出の表示中に表示することが可能であり、前記第２演出の表示中に表示しないことが可能であることを特徴とする。
【００１３】
請求項３に記載の本発明は、請求項２に記載の遊技機において、前記特定の演出において複数回表示される第１演出は、直近の前記有利遊技状態移行判定手段による判定結果が肯定であるときに表示された第１演出と同一であることを特徴とする。
【発明の効果】
【００１４】
本発明によれば、抽選処理の抽選結果を、今回までの抽選処理の中で直近の当選時に実
行した演出データを用いて再演出表示することができるため、遊技者は、表示された既出
の演出表示内容と、そのときの遊技結果（大当たり）とを結びつけながら、大きな期待感
をもって遊技できるため、遊技興趣を著しく向上させることが可能となる。
【図面の簡単な説明】
【００１５】
【図１】本発明の一実施形態のパチンコ遊技機における主要な機能を示す説明図である。
【図２】本発明の一実施形態のパチンコ遊技機において実行されるパチンコ遊技を示す説明図である。
【図３】本発明の一実施形態のパチンコ遊技機における概観を示す外観図である。
【図４】本発明の一実施形態のパチンコ遊技機における概観を示す分解斜視図である。
【図５】本発明の一実施形態のパチンコ遊技機における遊技盤を示す正面図である。
【図６】本発明の一実施形態のパチンコ遊技機における遊技盤に配設されている各種センサ及び駆動ソレノイドの配置を示す図である。
【図７】本発明の一実施形態のパチンコ遊技機において構成される主制御回路及び副制御回路を示すブロック図である。
【図８】本発明の一実施形態のパチンコ遊技機において実行される制御処理を示すフローチャートである。
【図９】本発明の一実施形態のパチンコ遊技機において実行される制御処理を示すフローチャートである。
【図１０】本発明の一実施形態のパチンコ遊技機において実行される制御処理を示すフローチャートである。
【図１１】本発明の一実施形態のパチンコ遊技機において実行される制御処理の状態遷移を示す説明図である。
【図１２】本発明の一実施形態のパチンコ遊技機において実行される制御処理を示すフローチャートである。
【図１３】本発明の一実施形態のパチンコ遊技機において実行される制御処理を示すフローチャートである。
【図１４】本発明の一実施形態のパチンコ遊技機において実行される制御処理を示すフローチャートである。
【図１５】本発明の一実施形態のパチンコ遊技機において実行される制御処理を示すフローチャートである。
【図１６】本発明の一実施形態のパチンコ遊技機において実行される演出パターン振分テーブルを説明するための図である。
【図１７】本発明の一実施形態のパチンコ遊技機における通常演出を説明するための図である。
【図１８】本発明の一実施形態のパチンコ遊技機におけるリプレイ演出を説明するための図である。
【図１９】本発明の一実施形態のパチンコ遊技機におけるリプレイ擬似連続演出を説明するための図である。
【発明を実施するための形態】
【００１６】
本実施形態の遊技機は、遊技の進行を制御し、所定の条件を満たした場合に抽選処理を
実行して、前記抽選処理の抽選結果が当選の場合に大当たり遊技が開始される抽選ゲーム
を実行する遊技進行制御手段と、遊技の進行に応じた演出表示を行うために用いられる各
種演出データを複数記憶した演出データ記憶手段と、前記抽選処理の抽選結果を、前記演
出データ記憶手段に記憶されている演出データの中から選択して演出表示する演出表示制
御手段と、を備え、前記演出データ記憶手段に記憶されている演出データは、前記抽選処
理の抽選結果を導出するまでの繋ぎ演出に用いられる繋ぎ用演出データと、前記繋ぎ演出
から引き継いで前記抽選結果を導出する結果導出演出に用いられる結果導出用演出データ
を含み、前記演出表示制御手段は、前記抽選処理の抽選結果を演出表示する場合、今回ま
での抽選処理の中で直近の当選時に実行した前記繋ぎ用演出データを用いた繋ぎ演出を、
前記結果導出演出の前に所定の確率で再演出表示するものである。
【００１７】
すなわち、本実施形態における遊技機は、遊技盤に設けられた特定入賞領域への遊技球
の入賞（または、通過）を契機として大当たり遊技の抽選処理を実行して、抽選結果が当
選の場合に大当たり遊技を開始する抽選ゲーム（以下、可変表示ゲーム又は特別図柄ゲー
ムという）を実行する遊技進行制御手段と、この特別図柄ゲームを実行するための各種演
出データを、予め演出データ記憶手段に複数記憶しておき、液晶表示装置などの表示手段
を用いて、演出データ記憶手段に記憶されている複数の各種演出データの中から選択して
表示する演出表示制御手段を備えている。
【００１８】
そして、上記演出データ記憶手段に記憶されている複数の演出データは、最終的に抽選
処理の抽選結果を導出表示する結果導出用演出データと、結果導出用演出データが表示さ
れるまでに繋ぎ演出として用いられる繋ぎ用演出データとにより構成されている。
【００１９】
つまり、本実施形態における各種演出データは、上述した繋ぎ用演出データと結果導出
用演出データとが１セットになって構成されたものである。そして、結果導出用演出デー
タが、例えば、所定の識別情報の三つ揃いで停止表示された場合は大当たり遊技への当選
を、それ以外（つまり、識別情報の三つ揃い以外）で停止表示された場合は大当たり遊技
への非当選を遊技者に報知している。
【００２０】
上記構成の遊技機において、本実施形態の演出表示制御手段は、今回までの抽選処理の
中で直近の当選（つまり、大当たり遊技への当選）時に実行された演出データのうち、上
述した繋ぎ用演出データを、今回の抽選処理の抽選結果として所定の確率で再演出表示（
つまり、リプレイ表示）するのである。なお、この場合、結果導出用演出データは、今回
の抽選結果に応じるため、抽選結果が当選の場合は、大当たり遊技への当選を遊技者に報
知する結果導出用演出データが表示され、当選していなかった場合は、大当たり遊技へ当
選しなかったことを遊技者に報知する結果導出用演出データが表示されることになる。
【００２１】
上述した構成の遊技機によれば、大当たり遊技に当選した場合の直近の繋ぎ用演出デー
タが再演出表示として実行されるので、遊技者にとっては、大当たり遊技に当選した繋ぎ
用演出データを、そのときの遊技結果（大当たり遊技への当選）と結びつけながら楽しむ
ことが可能となる。
【００２２】
また、本実施形態においては、前記抽選処理に当選して前記大当たり遊技に移行した際
に、前記演出表示制御手段により実行された繋ぎ演出を示す再演出表示用データを記憶す
る再演出表示用データ記憶手段をさらに備え、前記演出表示制御手段は、前記大当たり遊
技終了後の通常遊技において、前記抽選処理の抽選結果を受けて演出表示を実行する際に
、前記再演出表示用データ記憶手段に記憶された再演出表示用データに基づいて再演出表
示することもできる。
【００２３】
すなわち、本実施形態において大当たり遊技に当選した場合に、この大当たり遊技への
当選を遊技者に報知するための、上記繋ぎ用演出データと結果導出用演出データとのうち
の、繋ぎ用演出データが新たに再演出表示用データ記憶手段に記憶されて、その後の通常
遊技における抽選結果の演出表示に反映するのである。これにより、遊技者は自身が獲得
した大当たり遊技の繋ぎ用演出データを、当該大当たり遊技の終了後の通常遊技において
、再演出表示として何度も楽しむことが可能となる。
【００２４】
また、前記再演出表示用データ記憶手段に記憶された再演出表示用データは、前記抽選
処理に当選して前記通常遊技から前記特別遊技に移行した際の演出表示に用いられた繋ぎ
用演出データを、前記演出データ記憶手段に記憶されている複数の演出データの中から特
定する識別データとして用いることもできる。
【００２５】
すなわち、再演出表示用データ記憶手段に記憶された繋ぎ用演出データが、当該演出表
示において再演出表示されることで、遊技者は、本実施形態における演出表示が再演出表
示であることを認識することができるため、当該再演出表示における繋ぎ用演出データは
、本実施形態における演出データ記憶手段に記憶されている複数の演出データの中でも、
再演出表示の実行を遊技者に報知するための識別データとして特定されることになる。
【００２６】
さらに、前記演出表示制御手段は、前記抽選処理毎に抽選結果の演出表示を抽選結果演
出として行う場合に、前記繋ぎ用演出データを用いた再演出表示を、複数回に亘り連続し
て実行するとともに、この繋ぎ用演出データを用いた再演出表示の連続実行回数と、前記
抽選処理における前記特別遊技への当選確率とを関係付けることもできる。
【００２７】
近年の遊技機では、大当たり遊技の抽選結果を遊技者に報知する場合に、１回の抽選結
果の演出を、あたかも複数回の抽選結果の演出のように連続して演出する連続演出（所謂
、擬似連続演出）が実行されている。そこで、本実施形態においては、例えば、繋ぎ用演
出データを複数の演出データで構成して、連続演出（所謂、擬似連続演出）を実行する場
合は、１回目の連続演出では第１段階の繋ぎ用演出データを再演出表示、２回目の連続演
出は第１段階の再演出表示に続いて第２段階の繋ぎ用演出データを再演出表示、そして、
３回目の連続演出は第１、第２段階の再演出表示に続いて結果導出用演出データを再演出
表示するのである。
【００２８】
そして、本実施形態においては、上述した連続演出（所謂、擬似連続演出）の実行回数
（つまり、連続実行回数）は、例えば、抽選処理の抽選結果が大当たり遊技に当選した場
合に、連続実行回数が多くなるようにするのである。具体的に説明すると、連続演出の連
続実行回数が少ない（例えば、１回）場合よりも、連続演出の連続実行回数が多い（例え
ば、３回）場合の方が大当たり遊技への当選に結びつく確率を高くするのである。これに
より、遊技者は連続実行回数が多いほど大当たり遊技への当選を期待して、前回の大当た
り遊技に当選した繋ぎ用演出データの連続演出を楽しむことが可能となる。
【００２９】
また、前記繋ぎ用演出データを用いた再演出表示では、前記直近の当選が何回前の抽選
ゲームによるものかを示す当選履歴情報も同時に表示するとよい。
【００３０】
すなわち、繋ぎ用演出データを用いた再演出表示を実行する場合は、大当たり遊技の当
選履歴情報として、例えば、直近の所定回数の大当たり遊技への当選に要した抽選処理の
抽選回数などを、大当たり遊技の当選履歴情報として再演出表示とあわせて表示すること
により、遊技者は再演出表示を楽しみながら、当該遊技機の大当たり遊技の発生履歴を確
認することが可能となる。
【００３１】
以下に、本発明に好適な実施形態について図面に基づいて説明する。
【００３２】
最初に、本発明に好適な実施形態におけるパチンコ遊技機の機能について図１を用いて
説明する。
【００３３】
まず、図１に示すように、パチンコゲームは、ユーザの操作に応じて発射される遊技球
が、特別図柄の可変表示を行うための始動入賞となった場合には（例えば、発射された１
００個の遊技球に対して、５、６個の遊技球が始動入賞する、言い換えると、始動入賞す
る確率が約“５／１００”〜“６／１００”となるように設定される）、その始動入賞に
伴って、大当たりに関する大当たりカウンタから、大当たりとなるか否かを判定するため
の大当たり乱数、大当たりの場合において停止表示させる特別図柄の種類を決定するため
の図柄乱数が抽出される。この場合において、通常時であるとき（例えば、約“１／３０
０”）は、確変時であるとき（例えば、約“１／５０”〜“１／１００”）よりも低い確
率で大当たりとなると判定される。
【００３４】
そして、大当たりとなると判定された場合には、リーチとなるが、大当たりとならない
と判定された場合には、リーチ（リーチ入賞）となるか否かが決定されることとなる（例
えば、約“１／１０”〜“１／２０”の確率でリーチとなる）。
【００３５】
また、可変表示動作中において始動入賞した場合には、４個の保留球の分だけ、始動記
憶領域に大当たり乱数等が記憶されることとなる。
【００３６】
そして、上述した大当たりとなるか否か、停止表示させる特別図柄の種類、リーチとな
るか否かなどを示す各種のコマンドが演出表示手段に出力されるとともに、可変表示制御
手段が表示器における可変表示を行う。
【００３７】
一方、演出表示手段は、受信した各種コマンドに基づいて、可変表示映像、演出映像を
選択し、選択結果に対応する演出データを読み出し、表示器に表示映像信号を出力すると
ともに、音発生器（スピーカ）に音声信号を出力する。これによって、表示器において、
各種の映像が表示され、音発生器において、各種の音声が発生されることとなる。また、
上述した始動記憶領域において記憶された大当たりとなるかはずれとなるかが演出表示手
段に出力されることによって、まだ可変表示されていない始動記憶領域における当落が認
識可能となり、その当落に基づく演出が行われることもある。
【００３８】
また、大当たりとなった場合には、通常時よりも高い確率で遊技球の払出制御が行われ
る。そして、大当たりが終了した場合には、通常ゲームよりも遊技者に有利な時短状態や
、確変状態（確率変動状態）となることもある。時短状態においては、始動入賞口チャッ
カーが開閉するなど、通常時よりも始動入賞し易くなり、確変状態においては、大当たり
判定時において大当たりとなる確率が通常時より高くなる。また、時短状態は、大当たり
終了後、５０〜１００回の可変表示中継続され、確変状態は、次に大当たりとなるまで継
続される。
【００３９】
また、本発明に好適な実施形態におけるパチンコ遊技機の機能について図２を用いて更
に具体的に説明する。
【００４０】
まず、図２に示すように、パチンコゲームは、ユーザの操作に応じて遊技球が発射され
、その遊技球が各種入賞することによって、遊技球の払出制御が行われるゲームである。
【００４１】
また、このパチンコゲームには、特別図柄を用いる特別図柄ゲーム、普通図柄を用いる
普通図柄ゲームが含まれている。これら特別図柄ゲームにおいて大当たりとなったときや
、普通図柄ゲームにおいて当たりとなったときには、相対的に、遊技球が入賞する可能性
が増大し、遊技球の払出制御が行われ易くなる。
【００４２】
また、各種入賞には、特別図柄ゲームにおいて特別図柄の可変表示が行われる一つの条
件である特別図柄始動入賞や、普通図柄ゲームにおいて普通図柄の可変表示が行われる一
つの条件である普通図柄始動入賞も含まれている。
【００４３】
特別図柄始動入賞があった場合には、大当たり判定用のカウンタ、図柄決定用のカウン
タから乱数値が抽出され、各乱数値が記憶されることとなる。
【００４４】
一方、普通図柄始動入賞があった場合には、当たり判定用のカウンタから乱数値が抽出
され、乱数値が記憶されることとなる。
【００４５】
特別図柄ゲームにおいては、最初に、特別図柄の可変表示を開始する条件が成立したか
否かが判定される。この場合において、上述した特別図柄始動入賞によって乱数値が記憶
されているか否かが参照され、乱数値が記憶されていることを一つの条件として、特別図
柄の可変表示を開始すると判定される。
【００４６】
そして、大当たり判定用のカウンタから抽出された乱数値が参照され、大当たりとする
か否かの大当たり判定が行われる。次に、図柄決定用のカウンタから抽出された乱数値と
、上述した大当たり判定結果と、が参照され、停止表示させる特別図柄を決定する停止図
柄決定が行われる。
【００４７】
つまり、本実施形態においては、上述した特別図柄始動入賞による乱数値の記憶を所定
の条件として、大当たり判定（つまり、大当たり遊技の抽選処理）が実行されるものであ
る。
【００４８】
次に、変動パターン決定用のカウンタから乱数値が抽出され、その乱数値と、上述した
大当たり判定結果と、上述した停止図柄と、が参照され、特別図柄の変動パターンを決定
する変動パターン決定が行われる。次に、演出パターン決定用のカウンタから乱数値が抽
出され、その乱数値と、上述した大当たり判定結果と、上述した停止図柄と、上述した変
動パターンと、が参照され、特別図柄の可変表示に伴って実行する演出パターン決定が行
われる。なお、本実施形態においては、上記演出パターン決定において、演出データ記憶
手段に記憶されている複数の演出データの中から、所定の繋ぎ用演出データと結果導出用
演出データの組合せ（つまり、演出パターン）が決定されることになる。
【００４９】
そして、上述したように決定された大当たり判定の結果、停止表示させる特別図柄、特
別図柄の変動パターン、特別図柄に伴う演出パターンが参照され、特別図柄の可変表示の
表示制御を行う可変表示制御、所定の演出を行う演出制御が実行される。また、詳細は後
述するが、本実施形態においては、上記演出パターンの決定において、大当たりになると
判定された場合には、演出表示される演出パターンを再演出表示用データ記憶手段に記憶
するとともに、その後の通常遊技において、再演出表示用データ記憶手段に記憶された演
出パターンによる再演出表示の実行が決定される場合がある。
【００５０】
そして、可変表示制御、演出表示制御（つまり、演出表示制御手段）が終了した場合に
、大当たりとなるか否かが判定され、大当たりとなったと判定された場合には、大当たり
遊技を行う大当たり遊技制御が実行される。この大当たり遊技制御においては、上述した
各種入賞の可能性が増大することとなる。一方、大当たりとならないと判定された場合に
は、大当たり遊技制御が実行されない。
【００５１】
そして、遊技状態を移行させるための遊技状態移行制御が行われる。この遊技状態移行
制御においては、大当たり遊技状態とは異なる通常時における遊技状態の管理が行われる
。例えば、上述した大当たり判定において、大当たりと判定される確率が増大する確変状
態であったり、特別図柄や普通図柄の可変表示において、その可変表示時間を減少させる
時短状態であったり、各種の遊技状態に移行させることがある。そして、再度、特別図柄
の可変表示を開始させるか否かが繰り返し判定されることとなる。
【００５２】
一方、普通図柄ゲームにおいては、最初に、普通図柄の可変表示を開始する条件が成立
したか否かが判定される。この場合において、上述した普通図柄始動入賞によって乱数値
が記憶されているか否かが参照され、乱数値が記憶されていることを一つの条件として、
普通図柄の可変表示を開始すると判定される。
【００５３】
そして、当たり判定用のカウンタから抽出された乱数値が参照され、当たりとするか否
かの当たり判定が行われる。次に、上述した当たり判定結果が参照され、普通図柄の変動
パターンを決定する変動パターン決定が行われる。
【００５４】
そして、上述したように決定された当たり判定の結果、普通図柄の変動パターンが参照
され、普通図柄の可変表示の表示制御を行う可変表示制御、所定の演出を行う演出制御が
実行される。
【００５５】
そして、可変表示制御、演出表示制御が終了した場合に、当たりとなるか否かが判定さ
れ、当たりとなったと判定された場合には、当たり遊技を行う当たり遊技制御が実行され
る。この当たり遊技制御においては、上述した各種入賞の可能性、特に、特別図柄ゲーム
における特別図柄始動入賞の可能性が増大することとなる。一方、当たりとならないと判
定された場合には、当たり遊技制御が実行されない。そして、再度、普通図柄の可変表示
を開始させるか否かが繰り返し判定されることとなる。
【００５６】
このように、パチンコゲームは、ユーザの操作に応じて発射された遊技球が各種入賞す
ること以外に、特別図柄ゲームにおいて大当たりとなるか否か、遊技状態の移行状況、普
通図柄ゲームにおいて当たりとなるか否かによって、遊技球の払出制御が行われ易くなる
ゲームである。
【００５７】
尚、本実施形態においては、各種の乱数値の抽出は、プログラムを実行することによっ
て乱数値を生成するソフト乱数方式を用いているが、これに限らず、例えば、所定周期で
乱数が更新される乱数発生器を備え、その乱数発生器におけるカウンタ（所謂、リングカ
ウンタ）から乱数値を抽出するハード乱数方式を用いてもよい。この場合において、所定
周期とは異なるタイミングで、乱数値の初期値を決定することによって、所定周期で同じ
乱数値が抽出されることを防止することができる。
【００５８】
［遊技機の構成］
本実施形態における遊技機の概観について図３から図６を用いて説明する。尚、以下に
おいて説明する実施形態においては、本発明に係る遊技機に好適な実施形態として本発明
を第１種パチンコ遊技機（「デジパチ」とも称される。）に適用した場合を示す。
【００５９】
パチンコ遊技機１０は、図３から図６に示すように、ガラスドア１１、木枠１２、ベー
スドア１３、遊技盤１４、皿ユニット２１、画像を表示する液晶表示装置３２、遊技球を
発射する発射装置１３０、各種の制御基板を含む基板ユニット４００、遊技価値としての
遊技球を付与する球払出ユニット５００などから構成されている。
【００６０】
上述したガラスドア１１は、ベースドア１３に対して開閉自在に軸着されている。また
、このガラスドア１１の中央には、開口１１ａが形成されており、その開口１１ａには、
透過性を有する保護ガラス１９が配設されている。また、上述した木枠１２は、その前方
にベースドア１３が軸着される。
【００６１】
上述した皿ユニット２１は、ガラスドア１１の下方に位置するように、ベースドア１３
に配設されている。皿ユニット２１には、その上方に上皿２０が、その下方に下皿２２が
設けられている。そして、上皿２０には遊技球の貸し出し、遊技球の払出し（賞球）を行
うための上部払出口２０ａが形成されており、上皿２０への遊技球の貯留が満杯（つまり
、オーバーフロー）になった場合は、下皿２２に形成された下部払出口２２ａより遊技球
が排出され、下皿２２に貯留されることになる。また、上皿２０は、後述する遊技領域１
５に発射させるための遊技球貯留部として機能する。
【００６２】
上述した発射装置１３０は、皿ユニット２１の側方に位置するように、ベースドア１３
に配設されている。この発射装置１３０には、遊技者によって操作可能な発射ハンドル２
６が配設されており、遊技者によって発射ハンドル２６が操作されることによりパチンコ
遊技を進めることができる。この発射ハンドル２６が遊技者によって握持され、かつ、時
計回り方向へ回動操作されたときには、その回動角度に応じて発射ソレノイド２６ａ（図
示せず）に電力が供給され、皿ユニット２１に貯留された遊技球が遊技盤１４に順次発射
される。
【００６３】
上述した遊技盤１４は、保護ガラス１９の後方に位置するように、ベースドア１３の前
方に配設されている。遊技盤１４は、その前面に、発射された遊技球が転動可能な遊技領
域１５を有している。この遊技領域１５は、ガイドレール３０などに囲まれ、遊技球が転
動可能な領域である。このように、発射装置１３０によって発射された遊技球は、遊技盤
１４上に設けられたガイドレール３０に案内されて遊技盤１４の上部に移動し、その後、
遊技領域１５に設けられた複数の障害釘１６（図示せず）との衝突によりその進行方向を
変えながら遊技盤１４の下方に向かって落下することとなる。
【００６４】
そして、遊技盤１４の前面中央には、始動口４４、シャッタ４０などが設けられている
。この始動口４４は、本実施形態における特別図柄始動入賞領域に規定されており、遊技
球が入球したことを条件として、特別図柄の可変表示（つまり、大当たり遊技の抽選）が
実行されることとなる。また、詳しくは後述するが、この特別図柄の可変表示の結果に応
じて、通常遊技状態よりも遊技者に相対的に有利な大当たり遊技状態（所謂、「大当たり
」）となる。この大当たり遊技状態となった場合には、シャッタ４０が開放状態に制御さ
れ、大入賞口３９に遊技球が受け入れ容易な開放状態となることがある。
【００６５】
また、遊技盤１４の後方には、液晶表示装置３２の表示領域が視認可能に配設されてい
る。また、ベースドア１３の上方には、スピーカ４６Ｌ，４６Ｒが配設される。
【００６６】
また、遊技盤１４の中央上方には、特別図柄表示装置３３が配設されている。この特別
図柄表示装置３３は、特別図柄ゲームにおいて特別図柄の可変表示を行うものである。こ
の特別図柄表示装置３３における特別図柄は、一列の図柄列で構成されているが、これに
限らず、例えば、複数の図柄列で構成されていてもよい。この特別図柄は、数字や記号等
からなる図柄である。
【００６７】
「可変表示」とは、変動可能に表示される概念であり、例えば、実際に変動して表示さ
れる「変動表示」、実際に停止して表示される「停止表示」等を可能とするものである。
また、「可変表示」は、特別図柄ゲームの結果として識別情報が表示される「導出表示」
を行うことができる。また、変動表示が開始されてから導出表示されるまでを１回の可変
表示と称する。
【００６８】
また、この特別図柄表示装置３３において、特別図柄の導出表示が行われ、導出表示さ
れた特別図柄が特定の表示態様になったことに基づいて、遊技状態を遊技者に有利な大当
たり遊技状態に移行することとなる。また、導出表示された特別図柄が非特定の表示態様
になった場合には、大当たり遊技状態に移行しない。
【００６９】
また、導出表示された特別図柄が、特定の表示態様のうちの特別の表示態様になったこ
とに基づいて、遊技状態を遊技者に有利な大当たり遊技状態に移行し、その大当たり遊技
状態が終了した場合に、確変状態に移行することとなる。
【００７０】
一方、導出表示された特別図柄が、特定の表示態様のうち、特別の表示態様ではない非
特別の表示態様になったことに基づいて、遊技状態を遊技者に有利な大当たり遊技状態に
移行し、その大当たり遊技状態が終了した場合に、非確変状態（通常遊技状態）に移行す
ることとなる。上述したような確変状態では、通常遊技状態よりも相対的に大当たり遊技
状態に移行する確率が向上する。
【００７１】
また、これら特別図柄が導出表示される表示態様等によって、大当たり遊技状態の終了
後に、時短状態に移行することがある。この時短状態とは、通常遊技状態よりも、特別図
柄等の可変表示時間が短く、始動口４４に付設されている羽根部材４８が開放状態となる
時間が長くなるように制御されるため、通常遊技状態よりも相対的に大当たり遊技状態に
移行する可能性が向上する。
【００７２】
上述した液晶表示装置３２は、遊技に関する画像を表示するための表示領域を有してい
る。この液晶表示装置３２は、遊技盤１４に形成された開口の後方（背面側）に配設され
ることとなる。この液晶表示装置３２における表示領域には、特別図柄ゲームにおける特
別図柄の可変表示に伴って可変表示を行う装飾図柄、遊技に係る背景画像、演出画像等、
各種の遊技に関する画像が所定の態様で表示されることとなる。
【００７３】
また、この液晶表示装置３２には、特別図柄表示装置３３における特別図柄の可変表示
に合わせて、装飾図柄が可変表示される。この装飾図柄の導出表示が行われ、特別図柄表
示装置３３における特別図柄の可変表示の結果が特定の表示態様となる場合には、導出表
示された複数の装飾図柄の組合せが特定の組合せとなり、遊技状態を遊技者に有利な大当
たり遊技状態に移行することとなる。
【００７４】
すなわち、上述した液晶表示装置３２においては、各種の画像（装飾図柄、背景画像、
演出画像等）が表示されることにより、大当たり遊技の抽選結果が遊技者に報知されるこ
とになる。そして、本実施形態においては、詳細は後述するが、大当たり遊技に当選した
場合に演出表示された繋ぎ用演出データと、結果導出用演出データとを含む演出データが
、当該大当たり遊技終了後の通常遊技において再演出表示される場合がある。
【００７５】
尚、本実施形態において、画像を表示する部分として液晶ディスプレイパネルからなる
液晶表示装置３２を採用したが、これに限らず、他の態様であってもよく、例えば、ＣＲ
Ｔ（Cathode  Ray  Tube）を含むブラウン管、ドットＬＥＤ（Light  Emitting  Diode）
、セグメントＬＥＤ、ＥＬ（Electro  Luminescence）、プラズマ等からなるものであっ
てもよい。
【００７６】
上述した遊技盤１４の遊技領域１５には、複数の各種役物が設けられている。以下この
各種役物の一例を、図５を用いて説明するが、各種役物の構成はこれに限定されるもので
はない。なお、遊技領域１５には各種役物以外に、遊技領域１５を流下転動してゆく遊技
球の流下経路を決定する複数の障害釘１６が稙設されているが、図５では、各種役物の構
成が理解し易いように障害釘１６は省略している。
【００７７】
例えば、遊技盤１４の遊技領域１５内の中央上方には、特別図柄表示装置３３が設けら
れている。
【００７８】
また、特別図柄表示装置３３の右側方には、普通図柄の可変表示を行う普通図柄表示装
置３５が設けられている。また、遊技盤１４の上方には、特別図柄ゲームにおける保留個
数を表示する特別図柄保留表示装置３４ａから３４ｄ（図７においては符号３４と表す）
、普通図柄ゲームにおける保留個数を表示する普通図柄保留表示装置３７がそれぞれ設け
られている。
【００７９】
また、遊技盤１４の遊技領域１５内の上方には、球通過検出器５４ａ及び５４ｂが設け
られている。この球通過検出器５４ａ及び５４ｂの近傍を遊技球が通過したことを検出し
たときには、普通図柄表示装置３５における普通図柄の変動表示が開始され、所定の時間
が経過した後、普通図柄の変動表示が停止される。
【００８０】
この普通図柄が所定の図柄として停止表示されたときには、後述する始動口４４の左右
の両側に設けられている羽根部材４８（所謂、普通電動役物、以降、普通電役と称するこ
とがある）が閉鎖状態から開放状態となり、始動口４４に遊技球が入り易くなるようにな
る。また、羽根部材４８を開放状態とした後、所定の時間が経過したときには、羽根部材
４８を閉鎖状態として、始動口４４に遊技球が入り難くなるようにする。
【００８１】
また、遊技盤１４の遊技領域１５内の下方には、遊技球の一般入賞口５６ａから５６ｄ
が設けられている。
【００８２】
また、遊技盤１４の遊技領域１５の下方には、大入賞口３９に対して開閉自在なシャッ
タ４０が設けられている。上述したように、大当たり遊技状態に移行された場合には、こ
のシャッタ４０が遊技球を受け入れ易い開放状態（第一の状態）となるように駆動される
。
【００８３】
また、この大入賞口３９に遊技球が所定個数通過するか、又は、所定時間が経過するま
でシャッタ４０が開放状態に駆動される。つまり、開放状態において大入賞口３９への所
定数の遊技球の入賞又は所定時間の経過のいずれかの条件が成立すると、大入賞口３９を
、遊技球を受け入れ難い閉鎖状態（第二の状態）にする。また、続いて、開放状態から閉
鎖状態となったシャッタ４０は、上限ラウンド数に至っていないことを条件に、再度開放
状態に駆動される。
【００８４】
また、シャッタ４０の上方には、始動口４４が設けられている。この始動口４４に遊技
球が入賞した場合に、後述する特別図柄ゲームが開始され、特別図柄を変動表示する変動
表示状態に移行する。所定の可変表示開始条件としては、本実施形態においては、始動口
４４に遊技球が入賞したこと（特別図柄始動入賞領域を遊技球が通過したこと）を主な条
件とする。つまり、所定の可変表示開始条件が成立したときに（特別図柄始動入賞領域を
遊技球が通過したことを条件に）特別図柄の可変表示を行うこととなる。
【００８５】
すなわち、本実施形態においては、特定入賞領域として規定されている始動口４４に遊
技球が入賞したことを契機として、大当たり遊技の抽選処理を実行して、その抽選結果を
特別図柄による変動開始から所定時間経過後の変動停止表示によって遊技者に報知する構
成としている。
【００８６】
尚、本実施形態においては、始動口４４に遊技球が入賞したこと等を所定の可変表示開
始条件としたが、これに限らず、別の態様であってもよい。
【００８７】
また、特別図柄ゲームにおける特別図柄の可変表示中に遊技球が始動口４４へ入賞した
場合には、可変表示中の特別図柄が導出表示されるまで、その始動口４４への遊技球の入
賞に基づく特別図柄の可変表示の実行（開始）が保留される。つまり、所定の可変表示実
行条件が成立したが、所定の可変表示開始条件が成立していない場合（所定の可変表示保
留条件が成立した場合）には、所定の可変表示開始条件が成立するまで、特別図柄の可変
表示の実行（開始）が保留されることとなる。特別図柄の可変表示の実行が保留されてい
る状態で、特別図柄が導出表示された場合には、保留されている特別図柄の可変表示の実
行が開始される。
【００８８】
また、特別図柄が導出表示された場合に実行される特別図柄の可変表示の実行は一回分
である。また、特別図柄の可変表示の実行が保留される回数には上限が設定されており、
例えば、４回を上限として特別図柄の可変表示が保留される。このように特別図柄ゲーム
における特別図柄の可変表示が保留された場合には、特別図柄保留表示装置３４ａから３
４ｄは、その保留個数を表示することとなる。
【００８９】
また、普通図柄ゲームにおいても同じように、普通図柄の可変表示の実行（開始）が保
留されることがあり、その普通図柄の可変表示が保留された場合には、普通図柄保留表示
装置３７は、その保留個数を表示することとなる。
【００９０】
尚、本実施形態においては、４回を上限として特別図柄の可変表示、普通図柄の可変表
示を保留するように構成したが、これに限らず、別の態様であってもよく、例えば、一回
又は複数回を上限として、特別図柄の可変表示を保留するように構成してもよく、更には
、上限を設定することなく保留するように構成してもよい。もちろん、特別図柄の可変表
示を保留しないように構成してもよい。
【００９１】
また、図６に示すように、上述した球通過検出器５４ａ及び５４ｂ、一般入賞口５６ａ
から５６ｄ、大入賞口３９、始動口４４の後方には、それぞれ、通過球センサ１１４、１
１５、一般入賞球センサ１０６、１０８、１１０、１１２、カウントセンサ１０４、始動
入賞球センサ１１６が配設されており、遊技球の通過又は入球したことが検知される。
【００９２】
また、羽根部材４８、シャッタ４０の後方には、それぞれ羽根部材４８、シャッタ４０
を開閉駆動するための、普通電動役物ソレノイド１１８、大入賞口ソレノイド１２０が配
設されている。
【００９３】
［遊技機の電気的構成］
本実施形態におけるパチンコ遊技機１０の制御回路を示すブロック図を図７に示す。
【００９４】
図７に示すように、パチンコ遊技機１０は、主に、遊技の制御を行う主制御回路６０と
、遊技の進行に応じた演出の制御を行う副制御回路２００とから構成される。
【００９５】
主制御回路６０は、メインＣＰＵ６６、メインＲＯＭ６８（読み出し専用メモリ）、メ
インＲＡＭ７０（読み書き可能メモリ）を備えている。
【００９６】
メインＣＰＵ６６には、メインＲＯＭ６８、メインＲＡＭ７０等が接続されており、こ
のメインＲＯＭ６８に記憶されたプログラムに従って、各種の処理を実行する機能を有す
る。
【００９７】
メインＲＯＭ６８には、メインＣＰＵ６６によりパチンコ遊技機１０の動作を制御する
ためのプログラムや、各種のテーブルなどが記憶されている。
【００９８】
メインＲＡＭ７０は、メインＣＰＵ６６の一時記憶領域として種々のフラグや変数の値
を記憶する機能を有する。尚、本実施形態においては、メインＣＰＵ６６の一時記憶領域
としてメインＲＡＭ７０を用いているが、これに限らず、読み書き可能な記憶媒体であれ
ばよい。
【００９９】
また、この主制御回路６０は、後述するシステムタイマ割込処理を実行するために、所
定の周期（例えば２ミリ秒）毎にクロックパルスを発生するリセット用クロックパルス発
生回路６２、電源投入時においてリセット信号を生成する初期リセット回路６４、後述す
る副制御回路２００に対してコマンドを供給するためのシリアル通信用ＩＣ７２を備えて
いる。
【０１００】
また、主制御回路６０には、各種の装置が接続されている。
【０１０１】
例えば、主制御回路６０からの信号に応じる各種の装置としては、特別図柄ゲームにお
ける特別図柄の可変表示を行う特別図柄表示装置３３、特別図柄ゲームにおける特別図柄
の可変表示の保留個数を表示する特別図柄保留表示装置３４ａから３４ｄ、普通図柄ゲー
ムにおける識別情報としての普通図柄の可変表示を行う普通図柄表示装置３５、普通図柄
ゲームにおける普通図柄の可変表示の保留個数を表示する普通図柄保留表示装置３７、羽
根部材４８を開放状態又は閉鎖状態とする普通電動役物ソレノイド１１８、シャッタ４０
を駆動させ、大入賞口３９を開放状態又は閉鎖状態とする大入賞口ソレノイド１２０が接
続されている。
【０１０２】
また、例えば、大入賞口３９における領域を遊技球が通過した場合に、所定の検知信号
を主制御回路６０に供給するカウントセンサ１０４、各一般入賞口５６ａから５６ｄを遊
技球が通過した場合に、所定の検知信号を主制御回路６０に供給する一般入賞球センサ１
０６、１０８、１１０、１１２、球通過検出器５４ａ及び５４ｂを遊技球が通過した場合
に、所定の検知信号を主制御回路６０に供給する通過球センサ１１４、１１５、始動口４
４を遊技球が入賞した場合に、所定の検知信号を主制御回路６０に供給する始動入賞球セ
ンサ１１６、電断時等におけるバックアップデータを遊技場の管理者の操作に応じてクリ
アするバックアップクリアスイッチ１２４などが接続されている。
【０１０３】
また、主制御回路６０には、払出・発射制御回路１２６が接続されている。この払出・
発射制御回路１２６には、遊技球の払出を行う払出装置１２８、遊技球の発射を行う発射
装置１３０、カードユニット１５０が接続されている。また、カードユニット１５０には
、貸し出し用操作部１５１が接続されており、その操作に応じて、カードユニット１５０
に操作信号が供給される。
【０１０４】
この払出・発射制御回路１２６は、主制御回路６０から供給される賞球制御コマンド、
カードユニット１５０から供給される貸し球制御信号を受け取り、払出装置１２８に対し
て所定の信号を送信することにより、払出装置１２８に遊技球を払い出させる。また、払
出・発射制御回路１２６は、発射ハンドル２６が遊技者によって握持され、かつ、時計回
り方向へ回動操作されたときには、その回動角度に応じて発射装置１３０に内蔵されてい
る発射ソレノイド２６ａ（図示せず）に電力を供給し、遊技球を発射させる制御を行う。
【０１０５】
更には、シリアル通信用ＩＣ７２には、副制御回路２００が接続されている。この副制
御回路２００は、主制御回路６０から供給される各種のコマンドに応じて、液晶表示装置
３２における表示制御、スピーカ４６Ｌ，４６Ｒから発生させる音声に関する制御、装飾
ランプ１３２（図示せず）などの制御等を行う。
【０１０６】
尚、本実施形態においては、主制御回路６０から副制御回路２００に対してコマンドを
供給するとともに、副制御回路２００から主制御回路６０に対して信号を供給できないよ
うに構成したが、これに限らず、副制御回路２００から主制御回路６０に対して信号を送
信できるように構成しても問題ない。
【０１０７】
副制御回路２００は、サブＣＰＵ２０６、プログラムＲＯＭ２０８、ワークＲＡＭ２１
０、液晶表示装置３２における表示制御を行うための表示制御回路２５０、スピーカ４６
Ｌ，４６Ｒから発生させる音声に関する制御を行う音声制御回路２３０、装飾ランプなど
を含むランプの制御を行うランプ制御回路２４０から構成されている。副制御回路２００
は、主制御回路６０からの指令に応じて遊技の進行に応じた演出を実行する。
【０１０８】
サブＣＰＵ２０６は、このプログラムＲＯＭ２０８に記憶されたプログラムに従って、
各種の処理を実行する機能を有する。特に、サブＣＰＵ２０６は、主制御回路６０から供
給される各種のコマンドに従って、副制御回路２００の制御を行う。
【０１０９】
プログラムＲＯＭ２０８には、サブＣＰＵ２０６によりパチンコ遊技機１０の遊技演出
を制御するためのプログラムや各種のテーブルが記憶されている。
【０１１０】
尚、本実施形態においては、プログラム、テーブル等を記憶する記憶手段として、メイ
ンＲＯＭ６８、プログラムＲＯＭ２０８を用いるように構成したが、これに限らず、制御
手段を備えたコンピュータにより読み取り可能な記憶媒体であれば別態様であってもよく
、例えば、ハードディスク装置、ＣＤ−ＲＯＭ及びＤＶＤ−ＲＯＭ、ＲＯＭカートリッジ
等の記憶媒体に記録されていてもよい。また、これらのプログラムは、予め記録されてい
るものでなくとも、電源投入後にこれらのプログラムをダウンロードし、ワークＲＡＭ２
１０等に記録されるものでもよい。更にまた、プログラムの各々が別々の記憶媒体に記録
されていてもよい。
【０１１１】
ワークＲＡＭ２１０は、サブＣＰＵ２０６の一時記憶領域として種々のフラグや変数の
値を記憶する。尚、本実施形態においては、サブＣＰＵ２０６の一時記憶領域としてワー
クＲＡＭ２１０を用いているが、これに限らず、読み書き可能な記憶媒体であればよい。
【０１１２】
表示制御回路２５０は、液晶表示装置３２の表示制御を行う回路であり、画像データプ
ロセッサ（以下、ＶＤＰと称する。）、各種の画像データを生成するためのデータが記憶
されている画像データＲＯＭ、画像データをバッファするフレームバッファ、画像データ
を画像信号として変換するＤ／Ａコンバータなどから構成されている。
【０１１３】
表示制御回路２５０は、サブＣＰＵ２０６から供給されるデータに応じて、液晶表示装
置３２に画像を表示させるための種々の処理を行うことができる装置である。表示制御回
路２５０は、サブＣＰＵ２０６から供給される画像表示命令に応じて、装飾図柄を示す装
飾図柄画像データ、背景画像データ、演出用画像データ等、各種の画像データなど、液晶
表示装置３２に表示させるための画像データを一時的にフレームバッファに格納する。
【０１１４】
そして、表示制御回路２５０は、所定のタイミングで、フレームバッファに格納された
画像データをＤ／Ａコンバータに供給する。このＤ／Ａコンバータは、画像データを画像
信号として変換し、所定のタイミングでこの画像信号を液晶表示装置３２に供給すること
により、液晶表示装置３２に画像が表示される。つまり、表示制御回路２５０は、液晶表
示装置３２に遊技に関する画像を表示させる制御を行うこととなる。
【０１１５】
また、音声制御回路２３０は、音声に関する制御を行う音源ＩＣ、各種の音声データを
記憶する音声データＲＯＭ、音声信号を増幅するための増幅器（以下、ＡＭＰと称する。
）などから構成されている。
【０１１６】
この音源ＩＣは、スピーカ４６Ｌ，４６Ｒから発生させる音声の制御を行う。音源ＩＣ
は、サブＣＰＵ２０６から供給される音声発生命令に応じて、音声データＲＯＭに記憶さ
れている複数の音声データから一つの音声データを選択する。また、音源ＩＣは、選択さ
れた音声データを音声データＲＯＭから読み出し、音声データを所定の音声信号に変換し
、その音声信号をＡＭＰに供給する。ＡＭＰは、音声信号を増幅させ、スピーカ４６Ｌ，
４６Ｒから音声を発生させる。
【０１１７】
ランプ制御回路２４０は、ランプ制御信号を供給するためのドライブ回路、複数種類の
ランプ装飾パターンが記憶されている装飾データＲＯＭなどから構成されている。
【０１１８】
また、本実施形態においては、主制御回路６０と副制御回路２００との複数の制御回路
を備えるように構成したが、これに限らず、別の構成としてもよく、例えば、副制御回路
２００と主制御回路６０とをワンボードに構成してもよい。
【０１１９】
［遊技機の動作］
以下に、パチンコ遊技機１０で実行される処理を図８から図１０、図１２から図１５に
示す。また、パチンコ遊技機１０で実行される特別図柄制御処理の状態遷移について図１
１を用いて説明する。
【０１２０】
［メイン処理］
最初に、図８に示すように、メインＣＰＵ６６は、ＲＡＭアクセス許可、バックアップ
復帰処理、作業領域を初期化等の初期設定処理を実行する（ステップＳ１１）。そして、
詳しくは図１０を用いて後述するが、メインＣＰＵ６６は、特別図柄ゲームの進行、液晶
表示装置３２、特別図柄表示装置３３に表示される特別図柄、装飾図柄に関する特別図柄
制御処理を実行する（ステップＳ１５）。
【０１２１】
そして、メインＣＰＵ６６は、普通図柄ゲームの進行、普通図柄表示装置３５に表示さ
れる普通図柄に関する普通図柄制御処理を実行する（ステップＳ１６）。そして、メイン
ＣＰＵ６６は、特別図柄制御処理、普通図柄制御処理の実行の結果に従って、特別図柄、
普通図柄などの可変表示の表示制御を行う図柄表示装置制御処理を実行する（ステップＳ
１９）。
【０１２２】
このように、メイン処理においては、初期設定処理（ステップＳ１１）が終了した後、
特別図柄制御処理（ステップＳ１５）、普通図柄制御処理（ステップＳ１６）、図柄表示
装置制御処理（ステップＳ１９）を繰り返し実行することとなる。
【０１２３】
［システムタイマ割込処理］
また、メインＣＰＵ６６は、メイン処理を実行している状態であっても、メイン処理を
中断させ、システムタイマ割込処理を実行する場合がある。リセット用クロックパルス発
生回路６２から所定の周期（例えば２ミリ秒）毎に発生されるクロックパルスに応じて、
以下のシステムタイマ割込処理を実行する。このシステムタイマ割込処理について図９を
用いて説明する。
【０１２４】
最初に、図９に示すように、メインＣＰＵ６６は、大当たり判定用乱数カウンタ、大当
たり図柄決定用乱数カウンタ等の各カウント値を“１”増加するように乱数更新処理を実
行する（ステップＳ４２）。そして、メインＣＰＵ６６は、始動口４４等への遊技球の入
賞又は通過を検知する入力検出処理を実行する（ステップＳ４３）。そして、メインＣＰ
Ｕ６６は、主制御回路６０と副制御回路２００との同期をとるための待ち時間タイマ、大
入賞口３９の開放時間を計測するための大入賞口開放時間タイマ等、各種のタイマの更新
処理を実行する（ステップＳ４４）。そして、各種の変数に基づいて駆動制御するための
信号をソレノイド、モータ等に供給するために、出力処理を実行する（ステップＳ４６）
。
【０１２５】
そして、メインＣＰＵ６６は、各種のコマンドを副制御回路２００に供給するコマンド
出力処理を実行する（ステップＳ４７）。そして、メインＣＰＵ６６は、払出装置１２８
に賞球を行わせるための賞球制御コマンドを払出・発射制御回路１２６へ送信する等の払
出処理を実行する（ステップＳ４９）。この処理が終了した場合には、本サブルーチンを
終了し、割込発生前のアドレスへ復帰し、メイン処理を実行させる。
【０１２６】
［特別図柄制御処理］
図８の特別図柄制御処理について図１０を用いて説明する。尚、図１０において、各処
理の側方に描いた数値は、それら各処理に対応する制御状態フラグを示し、その制御状態
フラグの数値に応じて、その数値に対応する一つのステップが実行され、特別図柄ゲーム
が進行することとなる。
【０１２７】
最初に、図１０に示すように、メインＣＰＵ６６は、制御状態フラグをロードする処理
を実行する（ステップＳ７１）。
【０１２８】
尚、後述する各処理において、メインＣＰＵ６６は、制御状態フラグの値に基づいて、
各ステップにおける各種の処理を実行するか否かを判断することとなる。この制御状態フ
ラグは、特別図柄ゲームの遊技の状態を示すものであり、各処理のいずれかを実行可能に
するものである。また、それに加えて、メインＣＰＵ６６は、各ステップに対して設定さ
れた待ち時間タイマ等に応じて決定される所定のタイミングで各ステップにおける処理を
実行する。
【０１２９】
尚、この所定のタイミングに至る前においては、各ステップにおける処理を実行するこ
となく終了することとなり、他のサブルーチンを実行することとなる。もちろん、所定の
周期でシステムタイマ割込処理も実行する。
【０１３０】
そして、メインＣＰＵ６６は、特別図柄記憶チェック処理を実行する（ステップＳ７２
）。詳しくは図１２を用いて後述するが、メインＣＰＵ６６は、制御状態フラグが特別図
柄記憶チェックを示す値（００）である場合に、保留個数のチェックを行い、保留個数が
ある場合に、大当たり判定、導出特別図柄、特別図柄の変動パターン等の決定を行う。ま
た、メインＣＰＵ６６は、特別図柄変動時間管理を示す値（０１）を制御状態フラグにセ
ットし、今回の処理で決定された変動パターンに対応する変動時間を待ち時間タイマにセ
ットする。つまり、今回決定された変動パターンに対応する変動時間を経過した後、後述
する特別図柄変動時間管理処理を実行するように設定することとなる。
【０１３１】
一方、メインＣＰＵ６６は、保留個数がない場合には、デモ画面を表示するためのデモ
表示処理を行う。
【０１３２】
そして、メインＣＰＵ６６は、特別図柄変動時間管理処理を実行する（ステップＳ７３
）。この処理において、メインＣＰＵ６６は、制御状態フラグが特別図柄変動時間管理を
示す値（０１）であり、変動時間が経過した場合に、特別図柄表示時間管理を示す値（０
２）を制御状態フラグにセットし、確定後待ち時間を待ち時間タイマにセットする。つま
り、確定後待ち時間が経過した後、後述する特別図柄表示時間管理処理を実行するように
設定することとなる。
【０１３３】
そして、メインＣＰＵ６６は、特別図柄表示時間管理処理を実行する（ステップＳ７４
）。この処理において、メインＣＰＵ６６は、制御状態フラグが特別図柄表示時間管理を
示す値（０２）であり、確定後待ち時間が経過した場合に、大当たりか否かを判断する。
メインＣＰＵ６６は、大当たりである場合に、大当たり開始インターバル管理を示す値（
０３）を制御状態フラグにセットし、大当たり開始インターバルに対応する時間を待ち時
間タイマにセットする。つまり、大当たり開始インターバルに対応する時間が経過した後
、後述する大当たり開始インターバル管理処理を実行するように設定することとなる。つ
まり、メインＣＰＵ６６は、所定の遊技移行条件の成立により、遊技者にとって有利な大
当たり遊技状態（特定遊技状態）に移行させる制御を行うこととなる。尚、本実施形態に
おいて、このような処理を実行するメインＣＰＵ６６は、遊技状態移行制御手段の一例に
相当する。
【０１３４】
一方、メインＣＰＵ６６は、大当たりではない場合に、特別図柄ゲーム終了を示す値（
０８）をセットする。つまり、後述する特別図柄ゲーム終了処理を実行するように設定す
ることとなる。
【０１３５】
そして、メインＣＰＵ６６は、大当たりであると判別した場合には、大当たり開始イン
ターバル管理処理を実行する（ステップＳ７５）。この処理において、メインＣＰＵ６６
は、制御状態フラグが大当たり開始インターバル管理を示す値（０３）であり、その大当
たり開始インターバルに対応する時間が経過した場合に、大入賞口３９を開放させるため
に、メインＲＯＭ６８から読み出されたデータに基づいて、メインＲＡＭ７０に位置付け
られた変数を更新する。メインＣＰＵ６６は、大入賞口開放中を示す値（０４）を制御状
態フラグにセットするとともに、開放上限時間（例えば３０秒）を大入賞口開放時間タイ
マにセットする。つまり、後述する大入賞口開放中処理を実行するように設定することと
なる。
【０１３６】
そして、メインＣＰＵ６６は、大入賞口開放中処理を実行する（ステップＳ７６）。こ
の処理において、メインＣＰＵ６６は、制御状態フラグが大入賞口開放中を示す値（０４
）である場合に、大入賞口入賞カウンタが所定数以上であるという条件、開放上限時間を
経過した（大入賞口開放時間タイマが“０”である）という条件のいずれかを満たした（
所定の閉鎖条件が成立した）か否かを判断する。
【０１３７】
メインＣＰＵ６６は、いずれかの条件を満たした場合に、大入賞口３９を閉鎖させるた
めに、メインＲＡＭ７０に位置付けられた変数を更新する。そして、メインＣＰＵ６６は
、大入賞口内残留球監視を示す値（０５）を制御状態フラグにセットする。メインＣＰＵ
６６は、大入賞口内残留球監視時間を待ち時間タイマにセットする。つまり、大入賞口内
残留球監視時間が経過した後、後述する大入賞口内残留球監視処理を実行するように設定
することとなる。
【０１３８】
そして、メインＣＰＵ６６は、大入賞口内残留球監視処理を実行する（ステップＳ７７
）。この処理において、メインＣＰＵ６６は、制御状態フラグが大入賞口内残留球監視を
示す値（０５）であり、大入賞口内残留球監視時間が経過した場合に、大入賞口開放回数
カウンタが大入賞口開放回数最大値以上である（最終ラウンドである）という条件を満た
すか否かを判断する。
【０１３９】
メインＣＰＵ６６は、この条件を満たした場合に、大当たり終了インターバルを示す値
（０７）を制御状態フラグにセットし、大当たり終了インターバルに対応する時間を待ち
時間タイマにセットする。つまり、大当たり終了インターバルに対応する時間が経過した
後、後述する大当たり終了インターバル処理を実行するように設定することとなる。
【０１４０】
一方、メインＣＰＵ６６は、この条件を満たさない場合に、大入賞口再開放前待ち時間
管理を示す値（０６）を制御状態フラグにセットする。また、メインＣＰＵ６６は、ラウ
ンド間インターバルに対応する時間を待ち時間タイマにセットする。つまり、ラウンド間
インターバルに対応する時間が経過した後、後述する大入賞口再開放前待ち時間管理処理
を実行するように設定することとなる。
【０１４１】
そして、メインＣＰＵ６６は、大入賞口開放回数カウンタが大入賞口開放回数最大値以
上ではないと判別した場合に、大入賞口再開放前待ち時間管理処理を実行する（ステップ
Ｓ７８）。この処理において、メインＣＰＵ６６は、制御状態フラグが大入賞口再開放前
待ち時間管理を示す値（０６）であり、ラウンド間インターバルに対応する時間が経過し
た場合に、大入賞口開放回数カウンタを“１”増加するように記憶更新する。メインＣＰ
Ｕ６６は、大入賞口開放中を示す値（０４）を制御状態フラグにセットする。メインＣＰ
Ｕ６６は、開放上限時間（例えば３０秒）を大入賞口開放時間タイマにセットする。つま
り、上述した大入賞口開放中処理を再度実行するように設定することとなる。
【０１４２】
そして、メインＣＰＵ６６は、大入賞口開放回数カウンタが大入賞口開放回数最大値以
上であると判別した場合に、大当たり終了インターバル処理を実行する（ステップＳ７９
）。この処理において、メインＣＰＵ６６は、制御状態フラグが大当たり終了インターバ
ルを示す値（０７）であり、大当たり終了インターバルに対応する時間が経過した場合に
、特別図柄ゲーム終了を示す値（０８）を制御状態フラグにセットする。つまり、後述す
る特別図柄ゲーム終了処理を実行するように設定することとなる。
【０１４３】
そして、メインＣＰＵ６６は、大当たり図柄が確変図柄である場合には、確変状態に移
行させる制御を行うとともに、大当たり図柄が非確変図柄である場合には、通常遊技状態
に移行させる制御を行うこととなる。
【０１４４】
そして、メインＣＰＵ６６は、大当たり遊技状態が終了した場合、又は、はずれとなっ
た場合には、特別図柄ゲーム終了処理を実行する（ステップＳ８０）。この処理において
、メインＣＰＵ６６は、制御状態フラグが特別図柄ゲーム終了を示す値（０８）である場
合に、保留個数を示すデータ（始動記憶情報）を“１”減少するように記憶更新する。そ
して、メインＣＰＵ６６は、次回の変動表示を行うために、特別図柄記憶領域の更新を行
う。メインＣＰＵ６６は、特別図柄記憶チェックを示す値（００）をセットする。つまり
、上述した特別図柄記憶チェック処理を実行するように設定することとなる。この処理が
終了した場合には、本サブルーチンを終了する。
【０１４５】
上述したように、特別図柄制御処理においては、制御状態フラグをセットすることによ
り、特別図柄ゲームが実行されることとなる。具体的には、メインＣＰＵ６６は、図１１
に示すように、大当たり遊技状態ではない場合において、大当たり判定の結果がハズレで
あるときには、制御状態フラグを“００”、“０１”、“０２”、“０８”と順にセット
することにより、図１０に示す特別図柄記憶チェック処理、特別図柄変動時間管理処理、
特別図柄表示時間管理処理、特別図柄ゲーム終了処理の処理を所定のタイミングで実行す
ることとなる。
【０１４６】
また、メインＣＰＵ６６は、大当たり遊技状態ではない場合において、大当たり判定の
結果が大当たりであるときには、制御状態フラグを“００”、“０１”、“０２”、“０
３”と順にセットすることにより、図１０に示す特別図柄記憶チェック処理、特別図柄変
動時間管理処理、特別図柄表示時間管理処理、大当たり開始インターバル管理処理の処理
を所定のタイミングで実行し、大当たり遊技状態への制御を実行することとなる。
【０１４７】
更に、メインＣＰＵ６６は、大当たり遊技状態への制御が実行された場合には、制御状
態フラグを“０４”、“０５”、“０６”と順にセットすることにより、図１０に示す大
入賞口開放中処理、大入賞口内残留球監視処理、大入賞口再開放前待ち時間管理処理の処
理を所定のタイミングで実行し、大当たり遊技を実行することとなる。
【０１４８】
尚、大当たり遊技が実行されている場合において、大当たり遊技状態の終了条件が成立
した場合には、“０４”、“０５”、“０７”、“０８”と順にセットすることにより、
図１０に示す大入賞口開放中処理、大入賞口内残留球監視処理、大当たり終了インターバ
ル処理、特別図柄ゲーム終了処理の処理を所定のタイミングで実行し、大当たり遊技状態
を終了することとなる。
【０１４９】
［特別図柄記憶チェック処理］
図１０の特別図柄記憶チェック処理について図１２を用いて説明する。
【０１５０】
最初に、図１２に示すように、メインＣＰＵ６６は、制御状態フラグが特別図柄記憶チ
ェックを示す値（００）であるか否かの判断を行う（ステップＳ１０１）。メインＣＰＵ
６６は、制御状態フラグが特別図柄記憶チェックを示す値であると判別した場合には、保
留個数が“０”であるか否かの判断を行う（ステップＳ１０２）。一方、メインＣＰＵ６
６は、制御状態フラグが特別図柄記憶チェックを示す値であるとは判別しなかった場合に
は、本サブルーチンを終了する。
【０１５１】
そして、メインＣＰＵ６６は、保留個数を示すデータが“０”であると判別した場合に
は、デモ表示処理を実行する（ステップＳ１０３）。この処理が終了した場合には、本サ
ブルーチンを終了する。
【０１５２】
一方、メインＣＰＵ６６は、保留個数を示すデータが“０”であるとは判別しなかった
場合には、制御状態フラグとして特別図柄変動時間管理を示す値（０１）をセットする処
理を実行する（ステップＳ１０４）。
【０１５３】
そして、メインＣＰＵ６６は、大当たり判断処理（つまり、抽選処理）を実行する（ス
テップＳ１０５）。この処理において、メインＣＰＵ６６は、高確率フラグを読み出し、
読み出した高確率フラグに基づいて、大当たりの判定値（大当たり判定値）の数が異なる
複数の大当たり判定テーブルから１つの大当たり判定テーブルを選択する。
【０１５４】
このように、高確率フラグが所定の値である場合、つまり遊技状態が確変状態である場
合には、大当たり遊技状態に移行する確率は、通常時よりも向上することとなる。そして
、メインＣＰＵ６６は、始動入賞時に抽出された大当たり判定用乱数値と、選択された大
当たり判定テーブルとを参照する。つまり、メインＣＰＵ６６は、遊技者に有利な大当た
り遊技状態とするか否かの判定を行うこととなる。
【０１５５】
そして、メインＣＰＵ６６は、特別図柄決定処理を実行する（ステップＳ１０７）。こ
の処理において、メインＣＰＵ６６は、始動入賞時に抽出された大当たり図柄用乱数値を
読み出し、その大当たり図柄用乱数値と、上述した大当たり判定の結果と、に基づいて、
特別図柄を決定し、その特別図柄を示すデータをメインＲＡＭ７０の所定領域に記憶する
。また、メインＣＰＵ６６は、特別図柄を特別の表示態様（大当たり図柄が確変図柄とな
る表示態様）として決定する場合には、確変状態に移行させる制御を行うこととなる。
【０１５６】
このように記憶された特別図柄を示すデータは、特別図柄表示装置３３に供給される。
これによって、特別図柄表示装置３３に、特別図柄が導出表示されることとなる。
【０１５７】
そして、メインＣＰＵ６６は、上記特別図柄決定処理（ステップＳ１０７）で決定され
た特別図柄に対応する演出表示を液晶表示装置３２において実行するため演出パターン決
定処理を実行する（ステップＳ１０９）。この演出パターン決定処理において、メインＣ
ＰＵ６６は、演出条件選択用乱数値を抽出する。メインＣＰＵ６６は、上記特別図柄決定
処理（ステップＳ１０７）で決定された特別図柄に基づいて、演出パターンを決定するた
めの演出パターン振分テーブル（図１６参照）を参照する。そして、メインＣＰＵ６６は
、演出条件選択用乱数カウンタから抽出した演出条件選択用乱数値と選択した演出パター
ン振分テーブルとに基づいて、演出パターン及び演出表示の変動表示時間を決定して、メ
インＲＡＭ７０の所定領域に記憶する。
【０１５８】
そして、この演出パターン決定処理で決定された演出パターン及び演出表示の変動表示
時間は、主制御回路６０のメインＣＰＵ６６から副制御回路２００のサブＣＰＵ２０６に
演出パターン指定コマンドとして供給される。これによって、副制御回路２００において
、特別図柄に対応した所定の演出表示が液晶表示装置３２において実行されることとなる
。
【０１５９】
そして、メインＣＰＵ６６は、決定した演出パターンに対応する変動表示時間を待ち時
間タイマにセットし（ステップＳ１１０）、今回の変動表示に用いられた記憶領域をクリ
アする処理を実行する（ステップＳ１１１）。この処理が終了した場合には、本サブルー
チンを終了する。
【０１６０】
［演出パターン振分テーブル］
ここで、本実施形態における演出パターン振分テーブルについて図１６を用いて説明す
る。図１６は、大当たり遊技の抽選結果と、演出条件選択用乱数カウンタから抽出した演
出条件選択用乱数値とを参照して選択される演出パターンの配分を示す図である。
【０１６１】
図１６に示すように、演出パターン振分テーブルには、大別して「通常演出」、「リプ
レイ演出」及び「リプレイ擬似連続演出」の３種類の演出パターンが設定されている。さ
らに、「リプレイ擬似連続演出」は、その擬似連続演出の実行回数に応じて１回〜３回ま
での３種類の「リプレイ擬似連続演出」が設定されている。なお、演出パターン振分テー
ブルに設定されている３種類の演出パターンの詳細については後述する。
【０１６２】
本実施形態においては、上述した特別図柄記憶チェック処理（図１２参照）の演出パタ
ーン決定処理（ステップＳ１０９）において、大当たり遊技の抽選結果と、演出条件選択
用乱数カウンタから抽出された演出条件選択用乱数値とに基づいて選択される演出パター
ンが決定される。具体的に説明すると、例えば、抽出された演出条件選択用乱数値が１〜
１００の範囲であるとすると、図１６に示すように、大当たり遊技に当選した場合は、通
常演出が５％、リプレイ演出が２５％、リプレイ擬似連続演出（１回〜３回の合計）が７
０％の確率で選択される。一方、大当たり遊技に当選していない場合は、通常演出が７０
％、リプレイ演出が２０％、リプレイ擬似連続演出（１回〜３回の合計）が１０％の確率
で選択されるように抽選値を設定している。
【０１６３】
すなわち、上述したような演出パターン振分テーブルの配分により、大当たり遊技に当
選した場合は、リプレイ演出及びリプレイ擬似連続演出が選択される確率を高くして、他
方、大当たり遊技に当選していない場合（所謂、はずれ）の場合は、通常演出が選択され
る確率を高くしている。これにより、本実施形態においては、遊技者に対して、リプレイ
演出（リプレイ擬似連続演出を含む）が実行された場合は、大当たり遊技への当選を期待
させるとともに、大当たり遊技に当選していない場合でも、リプレイ演出（リプレイ擬似
連続演出を含む）を所定の確率で実行することにより、大当たり遊技への当選の期待感を
損なわずに、リプレイ演出（リプレイ擬似連続演出を含む）が楽しめる構成としている。
【０１６４】
［普通図柄制御処理］
図８の普通図柄制御処理について図１３を用いて説明する。尚、図１３において、各処
理の側方に描いた数値は、それらのステップに対応する普通図柄制御状態フラグを示し、
その普通図柄制御状態フラグの数値に応じて、その数値に対応する一つのステップが実行
され、普通図柄ゲームが進行することとなる。
【０１６５】
最初に、図１３に示すように、普通図柄制御状態フラグをロードする処理を実行する（
ステップＳ１２１）。この処理において、メインＣＰＵ６６は、普通図柄制御状態フラグ
を読み出す。
【０１６６】
尚、後述する処理において、メインＣＰＵ６６は、普通図柄制御状態フラグの値に基づ
いて、各ステップにおける各種の処理を実行するか否かを判断することとなる。この普通
図柄制御状態フラグは、普通図柄ゲームの遊技の状態を示すものであり、各処理のいずれ
かを実行可能にするものである。また、それに加えて、メインＣＰＵ６６は、各ステップ
に対して設定された待ち時間タイマ等に応じて決定される所定のタイミングで各ステップ
における処理を実行する。
【０１６７】
尚、この所定のタイミングに至る前においては、各ステップにおける処理を実行するこ
となく終了することとなり、他のサブルーチンを実行することとなる。もちろん、所定の
周期でシステムタイマ割込処理も実行する。
【０１６８】
そして、メインＣＰＵ６６は、普通図柄記憶チェック処理を実行する（ステップＳ１２
２）。この処理において、メインＣＰＵ６６は、普通図柄制御状態フラグが普通図柄記憶
チェックを示す値（００）である場合に、普通図柄に関する保留個数のチェックを行い、
保留個数がある場合に、当たり判定等を行う。そして、メインＣＰＵ６６は、普通図柄変
動時間監視を示す値（０１）を普通図柄制御状態フラグにセットし、今回の処理で決定さ
れた変動時間を待ち時間タイマにセットする。つまり、今回決定された変動時間を経過し
た後、後述する普通図柄変動時間監視処理を実行するように設定するのである。
【０１６９】
そして、メインＣＰＵ６６は、普通図柄変動時間監視処理を実行する（ステップＳ１２
３）。この処理において、メインＣＰＵ６６は、普通図柄制御状態フラグが普通図柄変動
時間監視を示す値（０１）であり、変動時間が経過した場合に、普通図柄表示時間監視を
示す値（０２）を普通図柄制御状態フラグにセットし、確定後待ち時間（例えば０．５秒
）を待ち時間タイマにセットする。つまり、確定後待ち時間が経過した後、後述する普通
図柄表示時間監視処理を実行するように設定するのである。
【０１７０】
そして、メインＣＰＵ６６は、普通図柄表示時間監視処理を実行する（ステップＳ１２
４）。この処理において、メインＣＰＵ６６は、普通図柄制御状態フラグが普通図柄表示
時間監視を示す値（０２）であり、確定後待ち時間が経過した場合に、当たりか否かを判
断する。メインＣＰＵ６６は、当たりである場合は、普通電動役物開放を示す値（０３）
を普通図柄制御状態フラグにセットする。つまり、後述する普通電動役物開放処理を実行
するように設定するのである。
【０１７１】
一方、メインＣＰＵ６６は、当たりではない場合に、普通図柄ゲーム終了を示す値（０
４）をセットする。つまり、後述する普通図柄ゲーム終了処理を実行するように設定する
のである。
【０１７２】
そして、メインＣＰＵ６６は、普通電動役物開放処理を実行する（ステップＳ１２５）
。この処理において、メインＣＰＵ６６は、普通図柄制御状態フラグが普通電動役物開放
を示す値（０３）である場合に、普通電動役物の開放中において所定数の始動入賞があっ
たという条件、普通電役開放時間タイマが“０”であるという条件のいずれかを満たすか
否かを判断する。
【０１７３】
メインＣＰＵ６６は、いずれかの条件を満たした場合に、普通電動役物である羽根部材
を閉鎖状態にさせるために、メインＲＡＭ７０に位置付けられた変数を更新する。メイン
ＣＰＵ６６は、普通図柄ゲーム終了を示す値（０４）を普通図柄制御状態フラグにセット
する。つまり、後述する普通図柄ゲーム終了処理を実行するように設定するのである。
【０１７４】
そして、メインＣＰＵ６６は、普通図柄ゲーム終了処理を実行する（ステップＳ１２６
）。この処理において、メインＣＰＵ６６は、普通図柄制御状態フラグが普通図柄ゲーム
終了を示す値（０４）である場合に、普通図柄に関する保留個数を示すデータを“１”減
少するように記憶更新する。メインＣＰＵ６６は、次回の普通図柄の変動表示を行うため
に、普通図柄記憶領域の更新を行う。メインＣＰＵ６６は、普通図柄記憶チェックを示す
値（００）をセットする。つまり、上述した普通図柄制御状態フラグをロードする処理を
実行するように設定するのである。この処理が終了した場合には、本サブルーチンを終了
する。
【０１７５】
［副制御回路メイン処理］
一方、副制御回路２００は、副制御回路メイン処理を実行することとなる。この副制御
回路メイン処理について図１４を用いて説明する。尚、この副制御回路メイン処理は、電
源が投入されたときに開始される処理である。
【０１７６】
最初に、図１４に示すように、サブＣＰＵ２０６は、ＲＡＭアクセス許可、作業領域を
初期化等の初期設定処理を実行する（ステップＳ３０１）。そして、サブＣＰＵ２０６は
、ワークＲＡＭ２１０の所定領域に位置付けられた各種の乱数カウンタの乱数値を更新す
る乱数更新処理を実行する（ステップＳ３０２）。
【０１７７】
そして、詳しくは図１５を用いて後述するが、サブＣＰＵ２０６は、受信したコマンド
を解析し、その解析したコマンドに応じたコマンド解析処理を実行する（ステップＳ３０
３）。そして、サブＣＰＵ２０６は、液晶表示装置３２における画像の表示制御を行う表
示制御処理を実行する（ステップＳ３０４）。そして、サブＣＰＵ２０６は、スピーカ４
６Ｌ，４６Ｒから発生させる音の制御を行う音声制御処理（ステップＳ３０５）、各種の
ランプの発光制御を行うランプ制御処理を実行する（ステップＳ３０６）。そして、この
処理が終了した場合には、再度、乱数更新処理に処理を移す。
【０１７８】
このように、副制御回路メイン処理においては、初期設定処理（ステップＳ３０１）が
終了した後、乱数更新処理（ステップＳ３０２）からランプ制御処理（ステップＳ３０６
）を繰り返し実行することとなる。
【０１７９】
［コマンド解析処理］
図１４のコマンド解析処理（ステップＳ３０３）について図１５を用いて説明する。
【０１８０】
最初に、図１５に示すように、サブＣＰＵ２０６は、コマンドバッファにコマンドが格
納されているか否かによって、受信コマンドがあるか否かを判断する（ステップＳ３１１
）。この処理において、サブＣＰＵ２０６は、受信コマンドがないと判別した場合には、
本サブルーチンを終了する。一方、サブＣＰＵ２０６は、受信コマンドがあると判別した
場合には、ワークＲＡＭ２１０の所定領域に位置付けられたコマンドバッファから、コマ
ンドデータを読み出す（ステップＳ３１２）。これ以降の処理については以下に詳しく説
明する。
【０１８１】
受信コマンドがあると判別した場合には、サブＣＰＵ２０６は、読み出したコマンドデ
ータに基づいて、受信コマンドが、演出パターン指定コマンドであり、なおかつ通常演出
パターンを指示しているか否かを判断する（ステップＳ３１３）。そして、サブＣＰＵ２
０６は、通常演出パターンであると判別した場合にはステップＳ３１４へ処理を移す。一
方、通常演出パターンではないと判別した場合にはステップＳ３１５へ処理を移す。
【０１８２】
ステップＳ３１４において、サブＣＰＵ２０６は、通常演出決定処理を実行する。この
通常演出決定処理において、サブＣＰＵ２０６は、本実施形態における演出データ記憶手
段であるプログラムＲＯＭ２０８に記憶されている複数の演出データの中から、演出パタ
ーン指定コマンドに含まれている演出表示の変動表示時間にあわせた、繋ぎ用演出データ
及び大当たり遊技の抽選結果に応じた結果導出演出データを選択して、表示制御回路２５
０に対して演出データを供給する。そして、この処理が終了した場合には、本サブルーチ
ンを終了する。
【０１８３】
ステップＳ３１５において、サブＣＰＵ２０６は、受信コマンドが、演出パターン指定
コマンドであり、なおかつリプレイ演出パターンを指示しているか否かを判断する。そし
て、サブＣＰＵ２０６は、リプレイ演出パターンであると判別した場合にはステップＳ３
１６へ処理を移す。一方、リプレイ演出パターンではないと判別した場合にはステップＳ
３１７へ処理を移す。
【０１８４】
ステップＳ３１６において、サブＣＰＵ２０６は、リプレイ演出決定処理を実行する。
このリプレイ演出決定処理において、サブＣＰＵ２０６は、前回の大当たり遊技への当選
演出データとして、ワークＲＡＭ２１０の所定の領域に記憶された演出データ（つまり、
繋ぎ用演出データ）を読み出して、表示制御回路２５０に対して供給する。そして、この
処理が終了すると本サブルーチンを終了する。つまり、本実施形態においては、前回の大
当たり遊技の演出データが記憶されているワークＲＡＭ２１０の所定の領域が、再演出用
表示データ記憶手段として規定されている。このようして、本実施形態においては、再演
出用表示データ記憶手段に記憶されている前回の大当たり遊技の演出データが、リプレイ
演出データとして実行されることになる。
【０１８５】
ステップＳ３１７において、サブＣＰＵ２０６は、受信コマンドが、演出パターン指定
コマンドであり、なおかつリプレイ擬似連続演出パターンを指示しているか否かを判断す
る。そして、サブＣＰＵ２０６は、リプレイ擬似連続演出パターンであると判別した場合
にはステップＳ３１８へ処理を移す。一方、リプレイ擬似連続演出パターンではないと判
別した場合にはステップＳ３１９へ処理を移す。
【０１８６】
ステップＳ３１８において、サブＣＰＵ２０６は、リプレイ擬似連続演出決定処理を実
行する。このリプレイ擬似連続演出決定処理において、サブＣＰＵ２０６は、再演出用表
示データ記憶手段に記憶されている前回の大当たり遊技の演出データを読み出すとともに
、演出パターン指定コマンドに含まれている演出表示の変動表示時間及び擬似連続演出の
実行回数（例えば、１回〜３回）に応じて、表示制御回路２５０に対して演出データを供
給する。そして、この処理が終了すると本サブルーチンを終了する。これにより、再演出
用表示データ記憶手段に記憶されている前回の大当たり遊技の演出データが、リプレイ擬
似連続演出データとして実行されることになる。
【０１８７】
ステップＳ３１９において、サブＣＰＵ２０６は、表示データ決定処理を実行する。こ
の、表示データ決定処理において、サブＣＰＵ２０６は、受信コマンドが演出パターン指
定コマンド以外の、受信コマンドに対応する演出制御データ（例えば、デモ表示コマンド
であった場合は、演出データと同様にプログラムＲＯＭ２０８に記憶されているデモ表示
データ）を読み出して表示制御回路２５０に対して供給する。
【０１８８】
そして、ステップＳ３２０において、サブＣＰＵ２０６は、受信コマンドが演出パター
ン指定コマンドであり、なおかつ大当たり遊技に当選しているか否かを判断して、大当た
り遊技に当選していると判別した場合はステップＳ３２１へ処理を移す。一方、大当たり
遊技に当選していないと判別した場合は、本サブルーチンを終了する。
【０１８９】
ステップＳ３２１において、サブＣＰＵ２０６は、今回の大当たり遊技の当選を示唆す
る演出データ（繋ぎ用演出データ）を、ワークＲＡＭ２１０の所定の領域（再演出用表示
データ記憶手段）に記憶する。つまり、本実施形態における再演出表示用データを記憶更
新するのである。そして、この処理が終了すると本サブルーチンを終了する。
【０１９０】
［演出表示の実施例］
ここで、上述したコマンド解析処理（図１５参照）で決定され、液晶表示装置３２の表
示領域３２ａにおいて実行される各種演出表示（通常演出、リプレイ演出（再演出表示）
、リプレイ擬似連続演出）を、以下に説明する。
【０１９１】
［通常演出表示］
まず、本実施形態における通常演出を、図１７を用いて説明する。図１７は、通常演出
における繋ぎ用演出データと結果導出用演出データの表示態様の一例を示す図である。
【０１９２】
なお、本実施形態においては、複数の演出データ（繋ぎ用演出データ及び結果導出用演
出データ）が演出データ記憶手段に記憶されているものであり、図１７に示す通常演出は
、複数の演出データのうちの一例である。
【０１９３】
本実施形態における通常演出は、大当たり遊技の抽選結果を遊技者に報知するための、
数字図柄で構成された識別画像８０と、キャラクタ等で構成された背景画像８２とにより
構成されている。そして、図１７（ａ）に示すように、通常演出の開始は、識別画像８０
の変動開始と、男の子のキャラクタ画像及び打ち上げ筒の画像で構成された背景画像８２
により、遊技者に対して報知されることになる。
【０１９４】
そして、図１７（ｂ）に示すように、通常演出の開始から所定時間経過後に、両端の識
別情報が同じ数字（例えば、“７”）で停止（所謂、リーチ状態）した識別画像８０と、
男の子のキャラクタ画像、点火された打ち上げ筒の画像、そして「リーチ」というメッセ
ージ画像で構成された背景画像８２が表示される。
【０１９５】
さらに、図１７（ｂ）に示す演出画像表示から所定時間が経過すると、大当たり遊技に
当選していた場合は、図１７（ｃ）に示すように、識別情報が三つ揃いの同じ数字（例え
ば、“７７７”）で停止した識別画像８０と、男の子のキャラクタ画像、打ち上げ筒の画
像、「大当たり」というメッセージ画像、打ち上げられた花火画像で構成された背景画像
８２が表示される。他方、大当たり遊技に当選していなかった場合は、図１７（ｄ）に示
すように、中央の識別情報がずれた状態（例えば、“７６７”）で停止した識別画像８０
と、男の子のキャラクタ画像、打ち上げ筒の画像、「残念」というメッセージ画像で構成
された背景画像８２が表示されることになる。
【０１９６】
すなわち、本実施形態における通常演出を構成する複数の演出データのうち、図１７（
ｃ）及び図１７（ｄ）の演出データは、最終的に遊技者に対して大当たり遊技の抽選結果
を報知するための結果導出用演出データであり、それに至るまでの図１７（ａ）及び図１
７（ｂ）の演出データは、結果導出用演出データに繋ぐための繋ぎ用演出データである。
【０１９７】
［リプレイ演出（再演出表示）］
次に、本実施形態におけるリプレイ演出を、図１８を用いて説明する。図１８は、リプ
レイ演出における繋ぎ用演出データと結果導出用演出データの表示態様の一例を示す図で
ある。
【０１９８】
本実施形態においては、直近の大当たり遊技への当選時に実行された通常演出が、再演
出表示用データ記憶手段に記憶され、所定の抽選処理によってリプレイ演出の実行が選択
された場合は、再演出表示用データ記憶手段に記憶された繋ぎ用演出データが、リプレイ
演出として実行される。なお、本実施形態においては、上述した通常演出で実行された繋
ぎ用演出データが、大当たり遊技の当選時に実行されて再演出表示用データ記憶手段に記
憶されたものとして説明する。
【０１９９】
本実施形態におけるリプレイ演出は、上述した通常演出と同様な大当たり遊技の抽選結
果を遊技者に報知するための、数字図柄で構成された識別画像８０と、キャラクタ等で構
成された背景画像８２と、通常演出では表示されない遊技履歴（つまり、大当たり遊技の
当選履歴情報）を示す大当たり遊技履歴画像９０により構成されている。そして、図１８
（ａ）に示すように、リプレイ演出の開始は、識別画像８０の変動開始と、男の子のキャ
ラクタ画像及び打ち上げ筒の画像で構成された背景画像８２、大当たり遊技履歴画像９０
が表示される。
【０２００】
なお、本実施形態における大当たり遊技履歴画像９０による遊技履歴は、図１８（ａ）
及び図１８（ｂ）に示すように、３回前までの大当たり遊技の獲得に要したスタート回数
（つまり、大当たり遊技の抽選回数）を表示している。
【０２０１】
そして、図１８（ｂ）に示すように、リプレイ演出の開始から所定時間経過後に、両端
の識別情報が同じ数字（例えば、“７”）で停止（所謂、リーチ状態）した識別画像８０
と、男の子のキャラクタ画像、点火された打ち上げ筒の画像、「リーチ」というメッセー
ジ画像で構成された背景画像８２及び大当たり遊技履歴画像９０が表示される。
【０２０２】
さらに、図１８（ｂ）に示す演出画像表示から所定時間が経過すると、当該演出の大当
たり遊技の抽選結果に応じて、大当たり遊技に当選していた場合は、図１８（ｃ）に示す
ように、識別情報が三つ揃いの同じ数字（例えば、“７７７”）で停止した識別画像８０
と、男の子のキャラクタ画像、打ち上げ筒の画像、「大当たり」というメッセージ画像、
打ち上げられた花火画像で構成された背景画像８２が表示される。他方、大当たり遊技に
当選していなかった場合は、図１８（ｄ）に示すように、中央の識別情報がずれた状態（
例えば、“７６７”）で停止した識別画像８０と、男の子のキャラクタ画像、打ち上げ筒
の画像、「残念」というメッセージ画像で構成された背景画像８２が表示されることにな
る。
【０２０３】
すなわち、このリプレイ演出においては、直近の大当たり遊技が当選した場合に実行さ
れた繋ぎ用演出データ（図１８（ａ）及び図１８（ｂ）参照）が演出表示されるとともに
、この繋ぎ用演出データと同時に大当たり遊技履歴画像９０が同時に表示されることにな
る。また、最終的に遊技者に対して大当たり遊技の抽選結果を報知する結果導出用演出デ
ータは、当該演出表示の実行の契機となった大当たり遊技の抽選結果に応じて、図１８（
ｃ）及び図１８（ｄ）に示す何れかの結果導出用演出データが表示されることになる。つ
まり、遊技者にとって、大当たり遊技履歴画像９０が表示されることで、当該演出表示が
リプレイ演出であることを認識することができる。
【０２０４】
［リプレイ擬似連続演出］
最後に、本実施形態におけるリプレイ擬似連続演出を、図１９を用いて説明する。図１
９は、リプレイ擬似連続演出における繋ぎ用演出データと結果導出用演出データの表示態
様の一例を示す図である。
【０２０５】
本実施形態においては、リプレイ演出と同様に、再演出表示用データ記憶手段に記憶さ
れた繋ぎ用演出データが、リプレイ擬似連続演出として実行される。
【０２０６】
本実施形態におけるリプレイ擬似連続演出は、その連続演出の実行回数が、所定回数（
例えば、１回〜３回）の中から、所定の抽選処理によって異なる実行回数が選択されて実
行される。そして、上述したリプレイ演出と同様な大当たり遊技の抽選結果を遊技者に報
知するための、数字図柄で構成された識別画像８０と、キャラクタ等で構成された背景画
像８２と、大当たり遊技の当選履歴情報を示す大当たり遊技履歴画像９０により構成され
ている。そして、図１９（ａ）に示すように、上述したリプレイ演出と同様にリプレイ擬
似連続演出は、識別画像８０の変動開始と、男の子のキャラクタ画像及び打ち上げ筒の画
像で構成された背景画像８２、大当たり遊技履歴画像９０とが表示されて開始される。
【０２０７】
そして、リプレイ擬似連続演出の連続回数が１回の場合は、所定時間が経過するまで図
１９（ａ）に示す演出画像を表示した後に、大当たり遊技の抽選結果に応じて、図１９（
ｃ）又は図１９（ｄ）に示す結果導出用演出データが表示されてリプレイ擬似連続演出は
終了する。なお、図１９（ｄ）に示す結果導出用演出データは、図１８（ｄ）に示す大当
たり遊技に当選しなかった場合に結果導出用演出データとして表示される画像を用いて、
あたかも表示画像がフェードアウトしてゆくように、大当たり遊技への非当選を遊技者に
報知している。
【０２０８】
また、リプレイ擬似連続演出の実行回数が１回以上の場合は、所定時間が経過するまで
図１９（ａ）に示す演出画像を表示した後に、大当たり遊技の抽選結果にかかわらず、必
ず図１９（ｄ）に示す結果導出用演出データが表示されて、大当たり遊技への非当選が一
旦遊技者に報知される。
【０２０９】
そして、２回目のリプレイ擬似連続演出を実行する場合は、１回目のリプレイ擬似連続
演出と同様に、図１９（ａ）を表示してから所定時間が経過すると、図１９（ｂ）に示す
ように、両端の識別情報が同じ数字（例えば、“７”）で停止（所謂、リーチ状態）した
識別画像８０と、男の子のキャラクタ画像、点火された打ち上げ筒の画像、「リーチ」と
いうメッセージ画像で構成された背景画像８２と、大当たり遊技履歴画像９０を表示する
。
【０２１０】
さらに、リプレイ擬似連続演出の連続回数が２回の場合は、所定時間が経過するまで図
１９（ｂ）に示す演出画像を表示した後に、大当たり遊技の抽選結果に応じて、図１９（
ｃ）又は図１９（ｄ）に示す結果導出用演出データが表示されてリプレイ擬似連続演出は
終了する。
【０２１１】
また、リプレイ擬似連続演出の実行回数が３回の場合は、所定時間が経過するまで図１
９（ｂ）に示す演出画像を表示した後に、大当たり遊技の抽選結果にかかわらず、必ず図
１９（ｄ）に示す結果導出用演出データが表示されて、大当たり遊技への非当選が一旦遊
技者に報知される。
【０２１２】
続いて、３回目のリプレイ擬似連続演出を実行する場合は、２回目のリプレイ擬似連続
演出が終了（つまり、図１９（ａ）、図１９（ｂ）、図１９（ｄ）へと表示画像が移行し
た場合）した後に、図１９（ａ）及び図１９（ｂ）の演出表示を実行してから、所定時間
が経過すると、大当たり遊技の抽選結果に応じて、図１９（ｃ）又は図１９（ｄ）に示す
結果導出用演出データが表示されてリプレイ擬似連続演出は終了する。
【０２１３】
なお、本実施形態におけるリプレイ擬似連続演出の連続回数は、所定の抽選処理（つま
り、特別図柄記憶チェック処理（図１２）の演出パターン決定処理（ステップＳ１０９）
）において、所定の振分けテーブル（演出パターン振分テーブル（図１６））を参照して
決定されるため、連続回数が大きくなるほど大当たり遊技への当選が期待できる構成とし
ている。
【０２１４】
上述してきた実施形態のパチンコ遊技機１０によれば、大当たり遊技の抽選処理の抽選
結果を、今回までの抽選処理の中で直近の大当たり遊技の当選時に実行した演出データを
用いて再演出表示（つまり、リプレイ演出及びリプレイ擬似連続演出）することができる
ため、遊技者は、表示された既出の演出表示内容と、そのときの遊技結果（大当たり）と
を結びつけながら、大きな期待感をもって遊技できるため、遊技興趣を著しく向上させる
ことが可能となる。
【０２１５】
さらに、本実施形態においては、繋ぎ用演出データを用いた再演出表示（つまり、リプ
レイ演出及びリプレイ擬似連続演出）を実行する場合は、大当たり遊技の当選履歴情報と
して、例えば、直近の所定回数の大当たり遊技への当選に要した抽選処理の抽選回数など
を、大当たり遊技の当選履歴情報として再演出表示とあわせて表示することにより、遊技
者は再演出表示を楽しみながら、当該パチンコ遊技機１０の大当たり遊技の発生履歴を確
認することが可能となる。
【０２１６】
また、本実施形態においては、再演出表示とリプレイ擬似連続演出を、最大３回実行す
るようにしたが、リプレイ擬似連続演出の連続回数は３回に限定されるものではなく、適
宜変更可能である。
【０２１７】
なお、本実施形態においては、各種複数の演出データの一例として、２種類の繋ぎ用演
出データ（図１７（ａ）及び図１７（ｂ）参照）と２種類の結果導出用演出データ（図１
７（ｃ）及び図１７（ｄ）参照）を用いて説明したが、本発明はこれに限定されるもので
はなく、例えば、繋ぎ用演出データ及び結果導出用演出データはパチンコ遊技機１０の演
出テーマに応じて、その種類及び数は適宜変更しても構わない。
【０２１８】
また、本発明の実施例に記載された効果は、本発明から生じる最も好適な効果を列挙し
たに過ぎず、本発明による効果は、本発明の実施例に記載されたものに限定されるもので
はない。
【符号の説明】
【０２１９】
１０    パチンコ遊技機
３２    液晶表示装置
４４    始動口
６０    主制御回路
６６    メインＣＰＵ
２００  副制御回路
２０６  サブＣＰＵ
【図１】
2014239882.tif 000003
【図２】
2014239882.tif 000004
【図３】
2014239882.tif 000005
【図４】
2014239882.tif 000006
【図５】
2014239882.tif 000007
【図６】
2014239882.tif 000008
【図７】
2014239882.tif 000009
【図８】
2014239882.tif 000010
【図９】
2014239882.tif 000011
【図１０】
2014239882.tif 000012
【図１１】
2014239882.tif 000013
【図１２】
2014239882.tif 000014
【図１３】
2014239882.tif 000015
【図１４】
2014239882.tif 000016
【図１５】
2014239882.tif 000017
【図１６】
2014239882.tif 000018
【図１７】
2014239882.tif 000019
【図１８】
2014239882.tif 000020
【図１９】
2014239882.tif 000021